(57)【特許請求の範囲】
【請求項１】
塗装対象物にスプレー塗装が行われる塗装室、
該塗装室の天井吹き出し部を介して略鉛直下方向きで該塗装室内にエアーを供給する給気室、及び
該塗装室におけるエアーと未塗着塗料ミストとを該塗装室の床排出部を介して吸引する排気室、を備える塗装ブースにおいて、
前記未塗着塗料ミストに略対向する方向から略鉛直下向き方向にかけて略放射状にエアーを噴出する第１サイドエアー供給部を、前記塗装室における塗装対象物の高さよりも高い位置で前記塗装室の側壁に設けてあり、
前記天井吹き出し部が、前記塗装室の天井幅方向の中央部分に設けられており、該天井吹き出し部の幅方向両端のそれぞれに、垂れ壁部が設けられていることを特徴とする塗装ブース。
【請求項２】
前記第１サイドエアー供給部の全体が、前記塗装対象物の高さよりも高い位置に設けられていることを特徴とする請求項１に記載の塗装ブース。
【請求項３】
前記第１サイドエアー供給部が、前記塗装室の奥行方向全体に渡って設けられていることを特徴とする請求項１又は２に記載の塗装ブース。
【請求項４】
塗装対象物にスプレー塗装が行われる塗装室、
該塗装室の天井吹き出し部を介して略鉛直下方向きで該塗装室内にエアーを供給する給気室、及び
該塗装室におけるエアーと未塗着塗料ミストとを該塗装室の床排出部を介して吸引する排気室、を備える塗装ブースにおいて、
前記未塗着塗料ミストに略対向する方向から略鉛直下向き方向にかけて略放射状にエアーを噴出する第１サイドエアー供給部を、前記塗装室における塗装対象物の高さよりも高い位置で前記塗装室の側壁に設けてあり、
前記第１サイドエアー供給部が、前記塗装室の奥行方向全体に渡って設けられており、
前記塗装室における塗装装置が、前記塗装室の側壁に固定される壁掛け式塗装装置である場合、前記第１サイドエアー供給部が、前記壁掛け式塗装装置の部分で分断されていることを特徴とする塗装ブース。
【請求項５】
前記第１サイドエアー供給部が、ソックフィルタを備えることを特徴とする請求項１〜４のいずれか一項に記載の塗装ブース。
【請求項６】
塗装対象物にスプレー塗装が行われる塗装室、
該塗装室の天井吹き出し部を介して略鉛直下方向きで該塗装室内にエアーを供給する給気室、及び
該塗装室におけるエアーと未塗着塗料ミストとを該塗装室の床排出部を介して吸引する排気室、を備える塗装ブースにおいて、
前記未塗着塗料ミストに略対向する方向から略鉛直下向き方向にかけて略放射状にエアーを噴出する第１サイドエアー供給部を、前記塗装室における塗装対象物の高さよりも高い位置で前記塗装室の側壁に設けてあり、
前記第１サイドエアー供給部が、ソックフィルタを備え、
前記ソックフィルタの長手方向に直交する縦断面形状が半円形であり、該半円形の直線部分をなす面が前記塗装室の側壁に対面するように該ソックフィルタが配置されており、前記未塗着塗料ミストに略対向する方向に延びるガイド板部材が、該ソックフィルタの上方に設けられていることを特徴とする塗装ブース。
【請求項７】
前記ガイド板部材が、エアーのガイド方向を変更可能に構成されていることを特徴とする請求項６に記載の塗装ブース。
【請求項８】
塗装対象物にスプレー塗装が行われる塗装室、
該塗装室の天井吹き出し部を介して略鉛直下方向きで該塗装室内にエアーを供給する給気室、及び
該塗装室におけるエアーと未塗着塗料ミストとを該塗装室の床排出部を介して吸引する排気室、を備える塗装ブースにおいて、
前記未塗着塗料ミストに略対向する方向から略鉛直下向き方向にかけて略放射状にエアーを噴出する第１サイドエアー供給部を、前記塗装室における塗装対象物の高さよりも高い位置で前記塗装室の側壁に設けてあり、
前記第１サイドエアー供給部が、ソックフィルタを備え、
前記ソックフィルタの長手方向に直交する縦断面形状が四分円形であり、該四分円形の二つの直線部分のうちの一方をなす面を前記塗装室の側壁に対面させたときに、前記一方の直線部分の上端から、他方の直線部分をなす面が水平方向に延びるように、該ソックフィルタが配置されていることを特徴とする塗装ブース。
【請求項９】
前記未塗着塗料ミストに略対向する方向にのみエアーを噴出する補助サイドエアー供給部が、前記ソックフィルタの上側に隣接して設けられていることを特徴とする請求項８に記載の塗装ブース。
【請求項１０】
前記塗装室の側壁に、前記未塗着塗料ミストに略対向する方向から略鉛直下向き方向にかけて略放射状にエアーを噴出する第２サイドエアー供給部が、前記第１サイドエアー供給部の下側に設けられており、前記第１サイドエアー供給部及び前記第２サイドエアー供給部のそれぞれの風量が、前記第１サイドエアー供給部を単独で使用する場合の風量に比べて小さく設定されていることを特徴とする請求項１〜９のいずれか一項に記載の塗装ブース。
【請求項１１】
前記第１サイドエアー供給部及び／又は前記第２サイドエアー供給部から供給されるエアーの密度が、前記塗装室の天井吹き出し部から供給されるエアーの密度よりも高いこと特徴とする請求項１〜１０のいずれか一項に記載の塗装ブース。
【発明の詳細な説明】
【技術分野】
【０００１】
本発明は、塗装対象物にスプレー塗装が行われる塗装室、該塗装室の天井吹き出し部を介して略鉛直下方向きで該塗装室内にエアーを供給する給気室、及び該塗装室におけるエアーと未塗着塗料ミストとを該塗装室の床排出部を介して吸引する排気室を備える塗装ブースに関する。
【背景技術】
【０００２】
塗装ブースを稼働する際の省エネルギー化や二酸化炭素排出量を削減する方法の一つとして、例えば、給気室に接続されている給気ファンのファン動力を低減させること、即ち、風量を削減することが考えられる。
【０００３】
しかしながら、均一流のままで風量を大幅に削減すると、塗装室の側壁付近の風量が少なくなる。その結果、未塗着塗料ミストが塗装室の側壁面に向かって飛散して、側壁面が汚れ易くなる。
【０００４】
従って、側壁面の汚れを防ぐため、例えば、すべての風量を側壁側に供給するように設定すると、塗装室の中央を流れるエアーがなくなり、連続して塗装処理される一連の塗装対象物において色被りが生じ易くなると共に、塗装対象物の周りの気流がなくなるため、塗膜の仕上がり品質に悪影響を及ぼす虞がある。
【０００５】
そこで、例えば、特許文献１に示されるように、塗装室内にノズル形式で高速エアーを供給するように構成される塗装ブースなどが知られている。
【先行技術文献】
【特許文献】
【０００６】
【特許文献１】特開昭５３−４００３６号公報
【発明の概要】
【発明が解決しようとする課題】
【０００７】
しかしながら、ノズルからエアーを供給すると、ノズルから放出されるエアーの流れは速いため、周囲の空気を誘引してしまうことになる。その結果、塗装室内の空気流を乱し、様々な箇所に渦を発生させてしまうため、未塗着塗料ミストを効率良く排気室へ誘導することが困難となり、塗装不良が生じ易くなる。
【０００８】
本発明は上記実情に鑑みてなされたものであって、その目的は、塗装不良が生じない気流制御を実施可能でありながらも、風量を大幅に削減して省エネルギー化を図れる塗装ブースを提供することにある。
【課題を解決するための手段】
【０００９】
本発明に係る塗装ブースの特徴は、塗装対象物にスプレー塗装が行われる塗装室、
該塗装室の天井吹き出し部を介して略鉛直下方向きで該塗装室内にエアーを供給する給気室、及び
該塗装室におけるエアーと未塗着塗料ミストとを該塗装室の床排出部を介して吸引する排気室、を備える塗装ブースにおいて、
前記未塗着塗料ミストに略対向する方向から略鉛直下向き方向にかけて略放射状にエアーを噴出する第１サイドエアー供給部を、前記塗装室における塗装対象物の高さよりも高い位置で前記塗装室の側壁に設けてある点にある。
【００１０】
本構成によれば、給気室より、塗装室の天井吹き出し部を介して略鉛直下方向きで該塗装室内にエアーが供給されるため、塗装室内の空気流が乱れることもなく、未塗着塗料ミストを効率良く排気室へ誘導することができる。その結果、塗装対象物における塗膜の仕上がり品質が保たれ、色被り等の塗装不良も生じ難くなる。さらに、塗装室に供給されるエアー風量を大幅に削減したとしても、塗装室の側壁面に向かって飛散してくる未塗着塗料ミストに対して、第１サイドエアー供給部から反対方向のエアー（対向流）を供給することによって、未塗着塗料ミストが側壁面に付着するのを軽減することができる。
【００１１】
本発明に係る塗装ブースにおいては、前記天井吹き出し部が、前記塗装室の天井幅方向の中央部分に設けられており、該天井吹き出し部の幅方向両端のそれぞれに、垂れ壁部が設けられていると好適である。
【００１２】
本構成のごとく、塗装室の天井幅方向の中央部分に天井吹き出し部を設けることによって、塗装室の天井全体に天井吹き出し部が設けられいる従来の塗装ブースの場合よりも、給気室からエアー量を低減させつつ、塗装対象物における塗膜の仕上がり品質を保ち、且つ色被りも生じ難くすることができる。さらに、垂れ壁を設けることによって、天井吹き出し部からのエアーの均一流が幅方向に広がることを防止することができるため、より効率的に、略鉛直下方向きの気流を塗装室に供給することができる。
【００１３】
本発明に係る塗装ブースにおいては、前記第１サイドエアー供給部が、前記塗装室の奥行方向全体に渡って設けられていると好適である。
【００１４】
本構成によれば、第１サイドエアー供給部からのエアーが、塗装室の奥行方向全体にわたってムラなく供給される。
【００１５】
本発明に係る塗装ブースにおいては、前記塗装室における塗装装置が、前記塗装室の側壁に固定される壁掛け式塗装装置である場合、前記第１サイドエアー供給部が、前記壁掛け式塗装装置の部分で分断されていると好適である。
【００１６】
本構成によれば、塗装室が、該塗装室の側壁に固定される壁掛け式塗装装置を備える場合であっても、第１サイドエアー供給部が、壁掛け式塗装装置の部分で分断されているため、第１サイドエアー供給部と壁掛け式塗装装置との干渉を回避することができる。
【００１７】
本発明に係る塗装ブースにおいては、前記第１サイドエアー供給部が、ソックフィルタを備えると好適である。
【００１８】
本構成のごとく、ソックフィルタを使用することによって、未塗着塗料ミストに略対向する方向から略鉛直下向き方向にかけて連続した風速分布を有するエアーの均一流を形成して、周囲空気の誘引を極力抑えることができる。従って、塗装室内の空気を乱すこともなく、様々な箇所に渦を発生させてしまうこともないため、未塗着塗料ミストをさらに効率良く排気室へ誘導して塗装不良を生じ難くすることができる。
【００１９】
本発明に係る塗装ブースにおいては、前記ソックフィルタの長手方向に直交する縦断面形状が半円形であり、該半円形の直線部分をなす面が前記塗装室の側壁に対面するように該ソックフィルタが配置されており、前記未塗着塗料ミストに略対向する方向に延びるガイド板部材が、該ソックフィルタの上方に設けられていると好適である。
【００２０】
本構成によれば、第１サイドエアー供給部は、長手方向に直交する縦断面形状が半円形であるソックフィルタを備えるため、鉛直上向き方向から鉛直下向き方向にかけて放射状にエアーが噴出するが、ソックフィルタの上方に設けられているガイド板部材によって、ソックフィルタから上向きに噴出するエアーについては未塗着塗料ミストに略対向する方向に効率良く流される。気流方向を変更された当該エアーは、ソックフィルタから元々水平方向に噴出するエアーと合流することとなり、未塗着塗料ミストに対する対向流として相乗効果を奏することとなる。
【００２１】
本発明に係る塗装ブースにおいては、前記ガイド板部材が、エアーのガイド方向を変更可能に構成されていると好適である。
【００２２】
本構成によれば、ガイド板部材によって、未塗着塗料ミストに対する対向流の向きを調整できるようになる。これにより、より効果的な対向流を作り出すことができるようになるため、例えば塗装対象物が車高の低い車体に変更される場合には、ガイド板部材を調整して対向流を低めに吹き出すようにすることによって、側壁面への塗料付着をより確実に軽減することができる。
【００２３】
本発明に係る塗装ブースにおいては、前記ソックフィルタの長手方向に直交する縦断面形状が四分円形であり、該四分円形の二つの直線部分のうちの一方をなす面を前記塗装室の側壁に対面させたときに、前記一方の直線部分の上端から、他方の直線部分をなす面が水平方向に延びるように、該ソックフィルタが配置されていると好適である。
【００２４】
本構成のごとく、ソックフィルタの長手方向に直交する縦断面形状を四分円形とすることによって、ソックフィルタのサイズを小さくすることができるため、製造や設置作業にかかるコストを削減することができる。
【００２５】
本発明に係る塗装ブースにおいては、前記未塗着塗料ミストに略対向する方向にのみエアーを噴出する補助サイドエアー供給部が、前記ソックフィルタの上側に隣接して設けられていると好適である。
【００２６】
ソックフィルタからのエアーだけでは未塗着塗料ミストに対する対向流の運動エネルギーが仮に不足するような場合にも、本構成のごとく、未塗着塗料ミストに略対向する方向にのみエアーを噴出する補助サイドエアー供給部を、長手方向に直交する縦断面形状が四分円形のソックフィルタの上側に隣接して設けることによって、必要に応じて対向流の運動エネルギーを補強することができる。
【００２７】
本発明に係る塗装ブースにおいては、前記塗装室の側壁に、前記未塗着塗料ミストに略対向する方向から略鉛直下向き方向にかけて略放射状にエアーを噴出する第２サイドエアー供給部が、前記第１サイドエアー供給部の下側に設けられており、前記第１サイドエアー供給部及び前記第２サイドエアー供給部のそれぞれの風量が、前記第１サイドエアー供給部を単独で使用する場合の風量に比べて小さく設定されていると好適である。
【００２８】
例えば塗装対象物として、車高の高い自動車ボディを塗装する場合、第１サイドエアー供給部のみでは、側壁の下の方まで均一流を形成し難くなる場合があるが、本構成のごとく、第１サイドエアー供給部の下側に、さらに第２サイドエアー供給部を設けることによって、側壁の下の方までより確実に均一流を形成することができ、その結果、側壁面への塗料付着を防止することができる。さらに、第１サイドエアー供給部及び第２サイドエアー供給部のそれぞれの風量が、第１サイドエアー供給部を単独で使用する場合の風量に比べて小さく設定されているため、サイドエアー供給部がもう一段増えたとしても、風量を２倍にする必要はなく、第１サイドエアー供給部単独で使用する場合とそれほど変わらない風量で運転することができる。
【００２９】
本発明に係る塗装ブースにおいては、前記第１サイドエアー供給部及び／又は前記第２サイドエアー供給部から供給されるエアーの密度が、前記塗装室の天井吹き出し部から供給されるエアーの密度よりも高いと好適である。
【００３０】
本構成によれば、第１サイドエアー供給部及び／又は第２サイドエアー供給部から供給されるエアーの密度が、塗装室の天井吹き出し部から供給されるエアーの密度よりも高いため、対向流の運動エネルギーがより大きくなり、より確実に側壁面への塗料付着を防止することができる。
【図面の簡単な説明】
【００３１】
【図１】本発明に係る塗装ブースの第１実施形態の正面概略構成図である。
【図２】本発明に係る塗装ブースの第１実施形態の側方概略構成図である。
【図３】本発明に係る塗装ブースの第２実施形態の正面概略構成図である。
【図４】本発明に係る塗装ブースの第２実施形態の側方概略構成図である。
【図５】本発明に係る塗装ブースの第３実施形態の正面概略構成図である。
【図６】本発明に係る塗装ブースの第３実施形態の側方概略構成図である。
【図７】本発明に係る塗装ブースの第４実施形態の正面概略構成図である。
【図８】本発明に係る塗装ブースの第４実施形態の側方概略構成図である。
【図９】サイドエアー供給部の別実施形態の概略構成図である。
【図１０】サイドエアー供給部の別実施形態の概略構成図である。
【図１１】サイドエアー供給部の別実施形態の概略構成図である。
【図１２】サイドエアー供給部の別実施形態の概略構成図である。
【図１３】サイドエアー供給部の別実施形態の概略構成図である。
【図１４】サイドエアー供給部の別実施形態の概略構成図である。
【図１５】サイドエアー供給部の別実施形態の概略構成図である。
【発明を実施するための形態】
【００３２】
〔第１実施形態〕
本発明に係る塗装ブース１の第１実施形態について、図面を参照しながら説明をする。
尚、本明細書において、「幅方向」とは、例えば図１のごとく、塗装ブース１の正面における横方向を意味し、また「奥行方向」とは、例えば図２のごとく、塗装ブース１の側面における横方向（塗装対象物Ｗの搬送方向）を意味するものとする。また、各図面における白抜きの矢印は、エアーの気流を示す。
【００３３】
図１及び図２に示すように、塗装ブース１は、例えば自動車のボディ等の塗装対象物Ｗにスプレー塗装が行われる塗装室２、塗装室２の天井吹き出し部２１を介して略鉛直下方向きで塗装室２内にエアーを供給する給気室３、及び塗装室２におけるエアーと未塗着塗料ミストとを該塗装室２の格子製床２４（床排出部の一例）を介して吸引する排気室４を備える。
【００３４】
給気室３は、塗装室２の直上に配置され、そして図示しない給気ファンが接続されている。給気ファンから加圧供給されるエアーが、塗装室２の天井吹き出し部２１から略鉛直下方向きで層流状に塗装室２内に吹き出される。
【００３５】
天井吹き出し部２１は、除塵フィルタ２２を備えており、給気室３のエアーが除塵フィルタ２２によって除塵された後に塗装室２内に供給されるように構成されている。
【００３６】
天井吹き出し部２１は、塗装室２の天井全体ではなく天井２０の幅方向の中央部分において、奥行方向全体にわたって設けられている。天井吹き出し部２１の幅は、天井２０幅のおよそ３０％〜５０％の幅に設定することが望ましい。
【００３７】
また、天井吹き出し部２１の幅方向両端のそれぞれに、奥行方向全体にわたる垂れ壁部２３が設けられている。垂れ壁部２３によって、天井吹き出し部２１からのエアーの均一流が幅方向に広がることを防止することができる。尚、垂れ壁部２３の上下方向の長さについては、長く設定するほど天井吹き出し部２１からの気流の直線性を高めることができるが、自動塗装装置５ａに干渉し易くなり、また垂れ壁部２３自体が汚れ易くなるため、これらを考慮して、例えば、天井２０から４００ｍｍ以下にすることが望ましい。
【００３８】
塗装室２は、内部に塗装対象物Ｗを搬入搬出するコンベア機構ＣＶと、スプレーガンを有する多関節ロボット型の自動塗装装置５ａとを備える。コンベア機構ＣＶは、床の幅方向の中央部分において、奥行方向全体にわたって敷設される。自動塗装装置５ａは、例えば、塗装室２の床面において、コンベア機構ＣＶ（塗装対象物Ｗの搬送方向）に沿ってその左右両側に並置される。
【００３９】
コンベア機構ＣＶによって搬入されて所定位置に停止させた状態の塗装対象物Ｗに対して、予め設定されたタイムスケジュールに基づく自動塗装装置５ａの自動作動によって、所定の塗料がスプレー塗装される。
【００４０】
塗装室２の床は床排出部としての格子製床２４を備えており、通気可能に構成されている。
【００４１】
排気室４は、塗装室２の直下に配置され、図示しない排気ファンが接続されている。塗装室２からのエアーと未塗着塗料ミストとを含む排気気体が、格子製床２４を介して吸引される。
【００４２】
排気室４は、排気気体から未塗着塗料ミストを分離除去する塗料ミスト除去装置（図示せず）を備える。尚、塗料ミスト除去装置としては、貯留洗浄水に塗料ミストを捕捉させる湿式、及び段ボールフィルタ等に塗料ミストを捕捉させる乾式を問わず、公知の塗料ミスト除去装置を採用して良い。
【００４３】
排気ファンの駆動によって排気室４に吸引された排気気体は、塗料ミスト除去装置によって未塗着塗料ミストが分離除去されたのち、塗装ブース１の外部に排出される。
【００４４】
塗装室２の幅方向における右側壁２５ａ及び左側壁２５ｂのそれぞれに、塗装室２の奥行方向全体にわたって、第１サイドエアー供給部６が設けられている。
【００４５】
第１サイドエアー供給部６には、図示しない給気ファンが接続されている。尚、当該給気ファンについては、給気室３に接続されているものを共用するようにして良いし、あるいは別に構成しても良い。尚、第１サイドエアー供給部６への給気は、塗装室２の側壁側、奥行方向の端部側、又は第１サイドエアー供給部６の上方からなど、どこから供給しても良い。
【００４６】
本実施形態における第１サイドエアー供給部６は、長手方向に直交する縦断面形状が半円形であるソックフィルタ６０とガイド板部材６２とを備える。ソックフィルタ６０は、その半円形の直線部分をなす面が塗装室２の右側壁２５ａ及び左側壁２５ｂのそれぞれに対面するように配置されている。ガイド板部材６２は、水平方向に延びており、ソックフィルタ６０の上方に設けられている。
【００４７】
ソックフィルタ６０は、略水平方向（未塗着塗料ミストに略対向する方向の一例）から略鉛直下向き方向にかけて連続した風速分布を有するエアーの均一流を形成して、周囲空気の誘引を極力抑え得る構成であれば良い。つまり、エアーの吹出口が、開口率と開口径が比較的小さい織布、多孔板、金網などであって、吹き出し風速が均一であり、かつ、吹出口から発達した流れに成長するまでの助走距離が短い気流を生じさせる構成であることが望ましい。そのような構成を実現し得る素材としては例えば、繊維状の合成樹脂を積層した不織布を利用した布袋、ガラス繊維からなる布袋、金属体のメッシュ袋、パンチング板、メッシュ金網などが挙げられる。
【００４８】
第１サイドエアー供給部６は、塗装室２に搬入される塗装対象物Ｗの高さよりも高い位置に設けられている。ただし、設置位置が高過ぎると側壁面沿いを流れる下降気流が少なくなるため、例えば、塗装対象物Ｗの天井面から８００ｍｍの高さまでに設置することが望ましい。
【００４９】
第１サイドエアー供給部６は、略水平方向から略鉛直下向き方向にかけて略放射状にエアーを噴出するように構成されている。尚、本実施形態における第１サイドエアー供給部６は、長手方向に直交する縦断面形状が半円形であるソックフィルタ６０を備えるため、図１の破線の矢印で示されるように、鉛直上向き方向から鉛直下向き方向にかけて放射状にエアーが噴出するが、ソックフィルタ６０の上方に設けられているガイド板部材６２によって、ソックフィルタ６０から上向きに噴出するエアーについては効率良く横方向に流される。気流方向を変更された当該エアーは、ソックフィルタ６０から元々水平方向に噴出するエアーと合流することとなり、未塗着塗料ミストに対する対向流として相乗効果を奏することとなる。
【００５０】
ソックフィルタ６０とガイド板部材６２との距離は、離れ過ぎるとガイド板部材６２による気流案内効果が著しく低減するため、例えば３００ｍｍ以下とすることが望ましい。
【００５１】
ガイド板部材６２のガイド長さ（塗装室２の側壁面からガイド板部材６２の端までの長さ）は、長くするほど気流案内効果が高まるが、自動塗装装置５ａに干渉し易くなり、またガイド板部材６２自体が汚れ易くなるため、これらを考慮して、例えば４００ｍｍ以下にすることが望ましい。
【００５２】
本実施形態の塗装ブース１において塗装処理を実施する際、塗装室２における天井吹き出し部２１及び第１サイドエアー供給部６の両方からエアーが供給される。このとき、天井吹き出し部２１からの風量が第１サイドエアー供給部６からの風量よりも多くなるように設定し、且つ天井吹き出し部２１からの風速が第１サイドエアー供給部６からの風速よりも小さくなるように風量制御することが望ましい。例えば、４０００ｍｍ〜６０００ｍｍのブース幅、及び数メートル〜数十メートルのブース長を有する標準的な自動車専用塗装ブース１に本発明を適用する場合、天井吹き出し部２１からの風速を０．０５〜０．１５ｍ／秒とし、第１サイドエアー供給部６からの風速を０．５〜２．０ｍ／秒に設定することが望ましい。
【００５３】
塗装対象物Ｗとして、例えば自動車ボディに塗装処理が実施される場合、基本的には塗装面に対して垂直方向に塗料が噴射されるが、自動車ボディのルーフなどの略水平な被塗装面上で水平方向に塗料が噴射される瞬間があり、こうした瞬間が繰り返されることで、塗装室２の側壁面が汚れ易くなる。
【００５４】
しかしながら本実施形態によれば、第１サイドエアー供給部６が、略水平方向から略鉛直下向き方向にかけて放射状にエアーを噴出するため、水平から下向きまで連続した風速分布を生じさせ、風速差による気流の乱れが少なく、未塗着塗料ミストが拡散し難い気流が作られる。
【００５５】
そして、右側壁２５ａ及び左側壁２５ｂのそれぞれから、塗装室２の幅方向中心に向かう気流となるため、右側壁２５ａ及び左側壁２５ｂのそれぞれに対して未塗着塗料ミストが付着するのを防止することができると共に、右側壁２５ａ及び左側壁２５ｂのそれぞれの壁面に沿う、塗装室２の下方向へ向かう気流も形成されるため、右側壁２５ａ及び／又は左側壁２５ｂに飛散してくる未塗着塗料ミストを積極的に排気室４に向かわせることができる。
【００５６】
また、塗膜の仕上がり品質を確保するために、塗膜表面の温度と湿度を所定範囲内に維持する必要がある。つまり、塗装対象物Ｗの廻りに一定の気流が存在しなければ、塗膜表面の温度と湿度を維持することができなくなり、塗膜の仕上がり品質に悪影響を及ぼすことがある。
【００５７】
本実施形態によれば、天井吹き出し部２１から供給されるエアーが、塗装対象物Ｗに当たると、その表面全体を覆うように分散して流れるため、塗膜表面の温度と湿度が所定範囲内に維持され、塗膜の仕上がり品質を保つことができる。さらに、連続的に搬入されて塗装処理される一連の塗装対象物Ｗの間では、エアーが衝突するものがないため、天井吹き出し部２１からの下降気流と、第１サイドエアー供給部６からの塗装室２の幅方向中心に向かう気流とが合流して、未塗着塗料ミストを速やかに排気室４へと誘導することができる。このため、天井吹き出し部２１から供給されるエアーの風量を低下させても、一連の塗装対象物Ｗにおける色被りが生じ難くなる。
【００５８】
尚、本発明を適用した塗装ブース１によれば、塗装室２の天井吹き出し部２１からのエアーの風速が０．３ｍ／秒であって５５００ｍｍのブース幅を有する標準的な自動車専用塗装ブース１の場合と比べて、エアー風量を３０％〜７０％削減することができる。
【００５９】
次いで、本発明に係る塗装ブース１が、自動塗装装置５ａとして壁掛け塗装ロボット５ｂを備える場合の実施形態について以下に説明する。尚、これらの実施形態について図面を参照しながら説明を行うが、上述の第１実施形態と同様の構成については同じ符号を付して説明を省略し、異なる構成を主に説明する。
【００６０】
〔第２実施形態〕
図３及び図４に示すように、本実施形態に係る塗装ブース１の塗装室２は、自動塗装装置５ａとして固定式の壁掛け塗装ロボット５ｂを備える。本実施形態では、塗装室２に搬入される塗装対象物Ｗの高さよりも高く、且つ右側壁２５ａ及び左側壁２５ｂのそれぞれに固定されるロボット本体５０よりも下の位置に、第１サイドエアー供給部６が設けられている。
【００６１】
また、第１サイドエアー供給部６のソックフィルタ６０とガイド板部材６２の幅方向の長さは、壁掛け塗装ロボット５ｂのスプレー部５１と右側壁２５ａ及び左側壁２５ｂのそれぞれの壁面との距離よりも短くなるように設定されている。
【００６２】
即ち、第１サイドエアー供給部６は、壁掛け塗装ロボット５ｂのロボット本体５０とスプレー部５１のいずれにも干渉しない構成となっている。
【００６３】
〔第３実施形態〕
図５及び図６に示すように、本実施形態では、塗装ブース１の塗装室２が上述の第２実施形態と同じく自動塗装装置５ａとして固定式の壁掛け塗装ロボット５ｂを備えるものであるが、その設置位置が低く、もし上述の第１実施形態や第２実施形態と同じように第１サイドエアー供給部６を設けようとすると、壁掛け塗装ロボット５ｂのロボット本体５０と干渉してしまうため、これを回避するための構成が示されている。
【００６４】
本実施形態では、第１サイドエアー供給部６が、壁掛け塗装ロボット５ｂの部分で分割された状態で設けられている。第１サイドエアー供給部６の分割部分６ｂは、ロボット本体５０の真下に設けられている。分割部分６ｂのソックフィルタ６０とガイド板部材６２のそれぞれの幅方向の長さは、壁掛け塗装ロボット５ｂのスプレー部５１と右側壁２５ａ及び左側壁２５ｂのそれぞれの壁面との距離よりも短い長さに設定されている。
【００６５】
分割部分６ｂのソックフィルタ６０は、第１サイドエアー供給部６のソックフィルタ６０と接続ダクト６４を介して連結されており、これにより分割部分６ｂのソックフィルタ６０にエアーが供給される。
【００６６】
尚、分割部分６ｂは、塗装室２に搬入される塗装対象物Ｗの高さと同程度、もしくはそれ以上の高さに設けることが望ましい。
【００６７】
〔第４実施形態〕
図７及び図８に示すように、本実施形態における塗装室２は、自動塗装装置５ａとして移動式の壁掛け塗装ロボット５ｂを備える。
【００６８】
本実施形態における壁掛け塗装ロボット５ｂは、側壁に敷設されたレールＲに沿って移動可能に構成されており、レールＲは、塗装室２の奥行方向全体に渡って設けられている。
【００６９】
本実施形態では、塗装室２に搬入される塗装対象物Ｗの高さよりも高く、且つレールＲ及びレールＲを移動するロボット本体５０よりも下の位置に、第１サイドエアー供給部６が設けられている。
【００７０】
また、第１サイドエアー供給部６のソックフィルタ６０とガイド板部材６２の幅方向の長さは、壁掛け塗装ロボット５ｂのスプレー部５１と右側壁２５ａ及び左側壁２５ｂのそれぞれの壁面との距離よりも短い長さに設定されている。
【００７１】
即ち、第１サイドエアー供給部６は、レールＲ及び壁掛け塗装ロボット５ｂのロボット本体５０とスプレー部５１のいずれにも干渉しない構成となっている。
【００７２】
（その他の実施形態）
１．上述の実施形態における第１サイドエアー供給部６は、長手方向に直交する縦断面形状が半円形であるソックフィルタ６０を採用しているが、これに限定されるものではなく、他にも例えば、長手方向に直交する縦断面形状が、円弧に近い多角形状であっても良いし、あるいは、例えば図１２に示すような角部が一つしかない形状や、図１３に示すような角部が存在しないような直線的な形状としても良く、未塗着塗料ミストに略対向する方向から略鉛直下向き方向にかけて略放射状にエアーを噴出可能な形状であれば、特に限定されるものではない。
【００７３】
２．図９に示すように、第１サイドエアー供給部６のソックフィルタ６０として、その長手方向に直交する縦断面形状が四分円形を有するものを使用しても良い。この場合、該四分円形の二つの直線部分のうちの一方をなす面を塗装室の右側壁２５ａに対面させたときに、一方の直線部分の上端から他方の直線部分をなす面が水平方向に延びるように、ソックフィルタ６０が配置される。尚、この場合も上述の実施形態と同様に、水平方向に延びるガイド板部材６２が、ソックフィルタ６０の上方に設けられる。尚、図９では、塗装室の右側壁２５ａに第１サイドエアー供給部６を設ける構成が示されているが、塗装室の左側壁２５ｂについてもこれと同様に第１サイドエアー供給部６を設けるようにして良い。
【００７４】
３．図１０に示すように、長手方向に直交する縦断面形状が四分円形のソックフィルタ６０において、水平面の部分６１の素材を変更することによって、水平面の部分６１からエアーが噴射されないように構成しても良い。尚、図１０では、塗装室の右側壁２５ａに第１サイドエアー供給部６を設ける構成が示されているが、塗装室の左側壁２５ｂについてもこれと同様に第１サイドエアー供給部６を設けるようにして良い。
【００７５】
４．図１１に示すように、長手方向に直交する縦断面形状が四分円形のソックフィルタ６０において、略水平方向にのみエアーを噴出する補助サイドエアー供給部６３が、ソックフィルタ６０の上側に隣接して設けられている構成としても良い。尚、図１１では、塗装室の右側壁２５ａに第１サイドエアー供給部６を設ける構成が示されているが、塗装室の左側壁２５ｂについてもこれと同様に第１サイドエアー供給部６を設けるようにして良い。
【００７６】
５．図示しないが、塗装室の右側壁及び左側壁のそれぞれに、略水平方向から略鉛直下向き方向にかけて略放射状にエアーを噴出する第２サイドエアー供給部が、第１サイドエアー供給部の下側に設けられており、第１サイドエアー供給部及び第２サイドエアー供給部のそれぞれの風量が、第１サイドエアー供給部を単独で使用する場合の風量に比べて小さく設定されている構成としても良い。第２サイドエアー供給部は、第１サイドエアー供給部と同様に、例えばソックフィルタとガイド板部材とを備えるものとして良い。このとき、第１サイドエアー供給部及び第２サイドエアー供給部におけるエアーの風速を同程度とし、ソックフィルタ径を小さくすることによって、第１サイドエアー供給部及び第２サイドエアー供給部のそれぞれの風量を低下させるようにしても良い。また第２サイドエアー供給部は、塗装室の床面から第１サイドエアー供給部までの高さのおよそ半分ほどの高さに設置されることが望ましい。
【００７７】
６．第１サイドエアー供給部及び／又は第２サイドエアー供給部から供給されるエアーの密度は、塗装室の天井吹き出し部から供給されるエアーの密度よりも高くしても良い。
【００７８】
７．上述の実施形態では、水平方向に延びるガイド板部材６２が例示されているが、ガイド板部材については当該構成に限定されるものではなく、例えば図１４及び図１５に示すように、ガイド板部材が、エアーのガイド方向を変更可能に構成されているものであっても良い。図１４に示すガイド板部材６２は、その先端部分を水平から下方に傾斜させることができるように構成されており、その傾斜角度θは例えば０°（水平）〜約３０°である。また図１５に示すガイド板部材６２は、その全体が水平から上方及び下方のいずれにも傾斜させることができるように構成されており、その傾斜角度θは、上方及び下方いずれの場合も０°（水平）〜約３０°である。この構成によれば、未塗着塗料ミストに略対向する方向を、水平方向だけでなく、水平方向よりも若干下方若しくは上方に変更可能となるため、より効果的な対向流を作り出すことができるようになる。
【００７９】
８．上述の実施形態では、第１サイドエアー供給部及び第２サイドエアー供給部がソックフィルタを備える構成が示されているが、この構成に限定されるものではない。ソックフィルタの替わりとして、例えば、パンチング部材といった他の公知素材を使用しても良く、未塗着塗料ミストに略対向する方向から略鉛直下向き方向にかけて略放射状にエアーを噴出可能な素材であれば、特に限定されるものではない。
【００８０】
尚、上述のように図面を参照しつつ本発明を説明したが、本発明は当該図面の構成に限定されるものではなく、本発明の要旨を逸脱しない範囲において様々な態様で実施することができることは言うまでもない。
【産業上の利用可能性】
【００８１】
本発明の塗装ブースは、例えば自動車、鉄道車両、航空機、船舶などにおけるボディ全体又はこれを構成する種々のパーツについての塗装を行う技術分野において特に好適に利用することができる。
【符号の説明】
【００８２】
１  塗装ブース
２  塗装室
２０  天井
２１  天井吹き出し部
２２  除塵フィルタ
２３  垂れ壁部
２４  格子製床（床排出部の一例）
２５ａ  右側壁
２５ｂ  左側壁
３  給気室
４  排気室
５ａ  自動塗装装置
５ｂ  壁掛け塗装ロボット
５０  ロボット本体
５１  スプレー部
６  第１サイドエアー供給部
６０  ソックフィルタ
６１  水平面の部分
６２  ガイド板部材
６ｂ  分割部分
６３  補助サイドエアー供給部
６４  接続ダクト
Ｗ  塗装対象物
ＣＶ  コンベア機構
Ｒ  レール
【要約】
【課題】塗装不良が生じない気流制御を実施可能でありながらも、風量を大幅に削減して省エネルギー化を図れる塗装ブースを提供すること。
【解決手段】塗装対象物Ｗにスプレー塗装が行われる塗装室２、塗装室２の天井吹き出し部２１を介して略鉛直下方向きで塗装室２内にエアーを供給する給気室３、及び塗装室２におけるエアーと未塗着塗料ミストとを塗装室２の床排出部２４を介して吸引する排気室４を備える塗装ブース１において、未塗着塗料ミストに略対向する方向から略鉛直下向き方向にかけて略放射状にエアーを噴出する第１サイドエアー供給部６を、塗装室２における塗装対象物Ｗの高さよりも高い位置で塗装室２の側壁２５ａ，２５ｂに設けてある。
【選択図】図１【図１】
0006980063.tif 000002
【図２】
0006980063.tif 000003
【図３】
0006980063.tif 000004
【図４】
0006980063.tif 000005
【図５】
0006980063.tif 000006
【図６】
0006980063.tif 000007
【図７】
0006980063.tif 000008
【図８】
0006980063.tif 000009
【図９】
0006980063.tif 000010
【図１０】
0006980063.tif 000011
【図１１】
0006980063.tif 000012
【図１２】
0006980063.tif 000013
【図１３】
0006980063.tif 000014
【図１４】
0006980063.tif 000015
【図１５】
0006980063.tif 000016